(57)【要約】【課題】視度を調整可能であるにもかかわらず、ズーム時の視度変化を低減するビューファインダを簡易な構成で実現する。【解決手段】ビューファインダ３は、第１レンズ群Ｌ１及び第２レンズ群Ｌ２の光軸方向位置が変更されることによってズーム倍率が変更されるファインダ光学系Ｓ２と、第１レンズ群Ｌ１及び第２レンズ群Ｌ２を案内する第１カム溝６３及び第２カム溝６４が形成され、光軸Ａ２回りに回転することによって第１レンズ群Ｌ１及び第２レンズ群Ｌ２を第１カム溝６３及び第２カム溝６４の形状に応じて光軸方向に移動させるズーム枠６と、ファインダ光学系Ｓ２の視度を調整する視度調整部９とを備えている。視度調整部９は、ズーム枠６の光軸方向への位置を変更することによってファインダ光学系Ｓ２の視度を調整すると共に、ズーム枠６が回転する際にズーム枠６の光軸方向位置を視度が維持されるように調整する。【選択図】図３
2015195547.tif 000002
【特許請求の範囲】
【請求項１】
光軸上に配置された第１レンズ及び第２レンズを含み、該第１レンズ及び第２レンズの光軸方向位置が変更されることによってズーム倍率が変更されるファインダ光学系と、
前記第１レンズ及び前記第２レンズを案内するカム溝が形成され、前記光軸回りに回転することによって該第１レンズ及び第２レンズを該カム溝の形状に応じて光軸方向に移動させる枠体と、
前記ファインダ光学系の視度を調整する視度調整部とを備え、
前記視度調整部は、前記枠体の光軸方向への位置を変更することによって前記ファインダ光学系の視度を調整すると共に、該枠体が回転する際に該枠体の光軸方向位置を視度が維持されるように調整するビューファインダ。
【請求項２】
請求項１に記載のビューファインダにおいて、
前記視度調整部は、前記枠体が回転する際の該枠体の光軸方向位置の調整量を視度に応じて変更するビューファインダ。
【請求項３】
請求項１又は２に記載のビューファインダにおいて、
前記視度調整部は、回転する前記枠体を案内し、該枠体が回転する際の該枠体の光軸方向位置を規定するガイド溝を有しているビューファインダ。
【請求項４】
請求項３に記載のビューファインダにおいて、
前記視度調整部は、前記光軸回りの周方向に対する前記ガイド溝の傾きを視度に応じて変更することによって、前記枠体が回転する際の該枠体の光軸方向位置を視度が維持されるように調整するビューファインダ。
【請求項５】
請求項４に記載のビューファインダにおいて、
前記視度調整部は、前記ガイド溝が形成されたガイド部を有し、前記ガイド部を傾動させることによって前記光軸回りの周方向に対する前記ガイド溝の傾きを変更するように構成されているビューファインダ。
【請求項６】
請求項４又は５に記載のビューファインダにおいて、
前記ガイド溝は、前記枠体の回転角に対する該枠体の光軸方向への移動量が線形的に変化するように形成されているビューファインダ。
【請求項７】
請求項５に記載のビューファインダにおいて、
前記視度調整部は、前記光軸回りに回転するように構成された調整枠を有し、
前記ガイド部は、前記調整枠の回転に応じて傾動するように該調整枠に連結されているビューファインダ。
【請求項８】
請求項７に記載のビューファインダにおいて、
前記視度調整部は、前記調整枠に連結され、撮影者が操作する操作部を有し、
前記調整枠は、前記操作部によって回転させられるビューファインダ。
【請求項９】
請求項１乃至７の何れか１つに記載のビューファインダにおいて、
画像を表示する表示部と、
前記光軸上に配置され、負の屈折力を有する第３レンズとをさらに備え、
前記第３レンズは、前記第１レンズ、第２レンズ及び第３レンズのうちで最も前記表示部の近くに配置されているビューファインダ。
【請求項１０】
請求項１乃至９の何れか１つに記載のビューファインダと、
前記ビューファインダが取り付けられるカメラ本体とを備えた撮像装置。
【発明の詳細な説明】
【技術分野】
【０００１】
ここに開示された技術は、ビューファインダ及びそれを備えた撮像装置に関するものである。
【背景技術】
【０００２】
従来より、カメラ本体に取り付けられたビューファインダが知られている。撮影者は、カメラ本体で撮影される被写体をビューファインダを介して観察することができる。
【０００３】
例えば、特許文献１に開示されたビューファインダは、撮影画像を表示する表示部と、表示部に表示された画像を観察するためのファインダ光学系とを有している。ファインダ光学系は、ファインダ光学系の光軸方向に移動するように構成されたズームレンズを有している。撮影者は、ズームレンズを移動させることによって、表示部の画像を拡大して観察することができる。
【先行技術文献】
【特許文献】
【０００４】
【特許文献１】特開平０８−１３９９７２号公報
【発明の概要】
【発明が解決しようとする課題】
【０００５】
ところで、ビューファインダは、撮影者の視力に合わせて視度を調整可能に構成されているものがある。しかし、視度を調整した後に、特許文献１のビューファインダのように画像を拡大／縮小するためにズームレンズを移動させると、調整した視度がずれてしまう。例えば、ズームレンズを移動させる際の視度を調整するためにズームレンズとは別のレンズを移動させることも考えられるが、ビューファインダの構成が複雑になってしまう。逆に、ズームレンズを移動させた後に視度の調整を行うことも考えられるが、ズームのたびに視度調整が必要になると、撮影操作が煩雑になってしまう。
【０００６】
ここに開示された技術は、視度を調整可能であるにもかかわらず、ズーム時の視度変化を低減することを目的とする。
【課題を解決するための手段】
【０００７】
ここに開示されたビューファインダは、光軸上に配置された第１レンズ及び第２レンズを含み、該第１レンズ及び第２レンズの光軸方向位置が変更されることによってズーム倍率が変更されるファインダ光学系と、前記第１レンズ及び前記第２レンズを案内するカム溝が形成され、前記光軸回りに回転することによって該第１レンズ及び第２レンズを該カム溝の形状に応じて光軸方向に移動させる枠体と、前記ファインダ光学系の視度を調整する視度調整部とを備え、前記視度調整部は、前記枠体の光軸方向への位置を変更することによって前記ファインダ光学系の視度を調整すると共に、該枠体が回転する際に該枠体の光軸方向位置を視度が維持されるように調整する。
【０００８】
ここに開示された撮像装置は、前記ビューファインダと、前記ビューファインダが取り付けられるカメラ本体とを備えている。
【発明の効果】
【０００９】
前記ビューファインダによれば、視度を調整可能であるにもかかわらず、ズーム時の視度変化を低減することができる。
【００１０】
また、前記撮像装置によれば、視度を調整可能であるにもかかわらず、ズーム時の視度変化を低減することができる。
【図面の簡単な説明】
【００１１】
【図１】ビデオカメラの斜視図である。
【図２】ビデオカメラの概略的なブロック図である。
【図３】ビューファインダの分解斜視図である。
【図４】ビューファインダの縦断面図である。
【図５】一部の部材の図示を省略したビューファインダの斜視図である。
【図６】（Ａ）は、ガイド部の斜視図であり、（Ｂ）は、（Ａ）とは異なる角度から見た、ガイド部の斜視図である。
【図７】ガイド部が見える状態のビューファインダの側面図であり、（Ａ）は、視度を遠視側に調整した状態であり、（Ｂ）は、視度を近視側に調整した状態である。
【図８】視度リングを斜め前方から見た斜視図を示し、（Ａ）は全体図であり、（Ｂ）は回り止めピンの拡大図である。
【図９】斜め後方から見た中間リング１０３の斜視図を示す。
【図１０】回り止めピンが見えるように切断した視度リングの断面図であり、（Ａ）は回り止めピンが押圧されていない状態を、（Ｂ）は回り止めピンが押圧された状態を示す。
【図１１】ズーム枠の回転角に対する、ズーム枠の光軸方向位置の関係を示す図である。
【発明を実施するための形態】
【００１２】
以下、例示的な実施形態を図面に基づいて詳細に説明する。
【００１３】
〈１．全体構成〉
図１に、ビデオカメラ１００の斜視図を、図２に、ビデオカメラ１００の概略的なブロック図を示す。
【００１４】
ビデオカメラ１００は、カメラ本体１と、レンズ鏡筒２と、ビューファインダ３とを備えている。ビデオカメラ１００は、撮影した画像をデジタルデータに変換し、後述する記録部１２に記録する。この例では、ビデオカメラ１００は、高精細度の映像の撮影が可能であり、例えば、ＨＤ映像の撮影が可能である。ビデオカメラ１００は、撮像装置の一例である。
【００１５】
カメラ本体１は、イメージセンサ１１と、記録部１２と、ビデオカメラ１００全般を制御する制御部１３とを有している。
【００１６】
イメージセンサ１１は、撮像面に形成された像を光電変換によって電気信号に変換する。イメージセンサ１１は、例えば、ＣＣＤ（Charge Coupled Device）イメージセンサ又はＣＭＯＳ（Complementary Metal-Oxide Semiconductor）イメージセンサである。記録部１２は、イメージセンサ１１からの電気信号に信号処理を施して生成される映像データを記録する。記録部１２は、例えば、ハードディスク、光ディスク又はメモリカードである。制御部１３は、例えば、プロセッサを有し、ビデオカメラ１００全般の制御を行う。制御部１３は、例えば、イメージセンサ１１を介して取得した映像をビューファインダ３の表示部４１（詳しくは後述する）に表示させる。
【００１７】
レンズ鏡筒２は、光軸Ａ１上に配列された複数のレンズを有している。複数のレンズは、撮像光学系Ｓ１を形成している。撮像光学系Ｓ１は、被写体からの光を集光して、イメージセンサ１１の撮像面に結像させる。レンズ鏡筒２は、ズームレンズ、フォーカスレンズ、及び像ブレ補正レンズ等を有している。撮影者は、ズームレンズ及びフォーカスレンズの位置を変更することによって、被写体の倍率を調整したり、被写体の合焦状態を調整したりする。
【００１８】
ビューファインダ３は、詳しくは後述するが、カメラ本体１のイメージセンサ１１を介して取得された映像を表示する表示部４１と、撮影者が表示部４１に表示される映像を観察するためのファインダ光学系Ｓ２とを少なくとも有している。撮影者はビューファインダ３を介して影像を観察しながら、撮影を行う。
【００１９】
〈２．ビューファインダの詳細構成〉
以下、ビューファインダ３の構成について詳細に説明する。図３は、ビューファインダ３の分解斜視図である。図４は、ビューファインダ３の縦断面図である。図５は、一部の部材の図示を省略したビューファインダ３の斜視図である。
【００２０】
ビューファインダ３は、ベース４と、表示部４１と、本体枠５と、ズーム枠６と、１群枠７と、２群枠８と、視度調整部９と、操作部１０と、ファインダ光学系Ｓ２とを備えている。
【００２１】
以下、特段の断りがない場合には、「光軸」は、ファインダ光学系Ｓ２の光軸Ａ２を、「光軸方向」は、ファインダ光学系Ｓ２の光軸Ａ２に沿う方向を、「半径方向」は、ファインダ光学系Ｓ２の光軸Ａ２を中心とする半径方向を、「周方向」は、ファインダ光学系Ｓ２の光軸Ａ２回りの周方向を意味する。また、特段の断りがない場合には、「回転」は、ファインダ光学系Ｓ２の光軸Ａ２回りの回転を意味する。
【００２２】
ベース４は、ビューファインダ３において光軸方向の一端部に設けられている。ベース４は、中央に開口を有する。ベース４の中央には、表示部４１及び第３レンズ群Ｌ３が取り付けられている。表示部４１及び第３レンズ群Ｌ３は、ファインダ光学系Ｓ２の光軸Ａ２上に配置されている。第３レンズ群Ｌ３は、１枚のレンズで構成されている。第３レンズ群Ｌ３は、負の屈折力を有する。第３レンズ群Ｌ３は、第３レンズの一例である。以下、光軸方向におけるベース４側を「前側」とし、光軸方向におけるベース４とは反対側を「後側」とする。
【００２３】
表示部４１は、液晶ディスプレイで形成されている。表示部４１は、カメラ本体１で取得された映像及び撮影に関する種々の情報を表示する。尚、表示部４１は、液晶ディスプレイに限られず、有機ＥＬ（Electro-Luminescence）ディスプレイ又はＣＲＴ（Cathode Ray Tube）であってもよい。
【００２４】
本体枠５は、光軸方向に延びる円筒状の部材である。本体枠５の前端部にベース４が取り付けられている。本体枠５には、光軸方向に延びる複数の直線溝５１が形成されている。また、本体枠５には、後述するズーム枠６の第１連結ピン６１を外部に露出させる第１開口部５２及びズーム枠６の第２連結ピン６２を外部に露出させる第２開口部５３が形成されている。直線溝５１、第１開口部５２及び第２開口部５３は、本体枠５を半径方向へ貫通している。
【００２５】
ズーム枠６は、光軸方向に延びる円筒状の部材である。ズーム枠６は、本体枠５に対して回転可能な状態で本体枠５内に収容される。ズーム枠６の外周面には、半径方向に突出する第１連結ピン６１及び第２連結ピン６２が設けられている。第１連結ピン６１は、ズーム枠６のうち、本体枠５の第１開口部５２から露出する部分に設けられている。第１連結ピン６１は、操作部１０の後述するズームリング１０２と係合している。つまり、ズームリング１０２が回転操作されることによって、ズーム枠６は、本体枠５に対して回転する。第２連結ピン６２は、ズーム枠６のうち、本体枠５の第２開口部５３から露出する部分に設けられている。第２連結ピン６２は、詳しくは後述するが視度調整部９と係合している。ズーム枠６は、枠体の一例である。
【００２６】
また、ズーム枠６には、複数の第１カム溝６３と、複数の第２カム溝６４とが形成されている。第１カム溝６３及び第２カム溝６４は、ズーム枠６を半径方向へ貫通している。第１カム溝６３は、ズーム枠６が回転する際の１群枠７の光軸方向への移動を規定する。また、第２カム溝６４は、ズーム枠６が回転する際の２群枠８の光軸方向への移動を規定する。第１カム溝６３及び第２カム溝６４は、カム溝の一例である。
【００２７】
１群枠７は、光軸方向に延びる円筒状の部材である。１群枠７は、第１レンズ群Ｌ１を保持している。第１レンズ群Ｌ１は、複数のレンズで構成されている。第１レンズ群Ｌ１は、正の屈折力を有する。第１レンズ群Ｌ１は、第１レンズの一例である。１群枠７の外周面には、半径方向に突出する複数の１群連結ピン７１が設けられている。
【００２８】
２群枠８は、光軸方向に延びる円筒状の部材である。２群枠８は、第２レンズ群Ｌ２を保持している。第２レンズ群Ｌ２は、複数のレンズで構成されている。第２レンズ群Ｌ２は、正の屈折力を有する。第２レンズ群Ｌ２は、第２レンズの一例である。２群枠８の外周面には、半径方向に突出する複数の２群連結ピン８１が設けられている。
【００２９】
１群枠７及び２群枠８は、ズーム枠６内に収容される。この状態において、第１レンズ群Ｌ１及び第２レンズ群Ｌ２は、光軸Ａ２上に配置されている。２群枠８の方がベース４の近くに配置されている。すなわち、光軸Ａ２上において後側から、第１レンズ群Ｌ１、第２レンズ群Ｌ２、第３レンズ群Ｌ３、表示部４１の順に配列されている。
【００３０】
また、１群連結ピン７１は、ズーム枠６の第１カム溝６３を貫通して、本体枠５の直線溝５１に係合している。２群連結ピン８１は、ズーム枠６の第２カム溝６４を貫通して、本体枠５の直線溝５１に係合している。尚、組み立てる際には、ズーム枠６を本体枠５内に収容し、１群枠７及び２群枠８をズーム枠６内に収容した状態において、１群連結ピン７１を、半径方向外側から本体枠５の直線溝５１とズーム枠６の第１カム溝６３とを貫通させて１群枠７の外周面に取り付け、２群連結ピン８１を、半径方向外側から本体枠５の直線溝５１とズーム枠６の第２カム溝６４とを貫通させて２群枠８の外周面に取り付ける。
【００３１】
第１レンズ群Ｌ１、第２レンズ群Ｌ２及び第３レンズ群Ｌ３がファインダ光学系Ｓ２を形成する。第１レンズ群Ｌ１及び第２レンズ群Ｌ２は、ズームレンズとして機能する。すなわち、第１レンズ群Ｌ１及び第２レンズ群Ｌ２は、ファインダ光学系Ｓ２を介して観察される表示部４１の画像のズーム倍率を、光軸方向位置を変更することによって変更する。第３レンズ群Ｌ３は、表示部４１への入射角を小さくするためのレンズである。これにより、表示部４１の入射角依存性を低減することができる。すなわち、入射角に応じた、色ずれや輝度変化が大きい表示部４１であっても、第３レンズ群Ｌ３によって入射角が小さくされるので、色ずれや輝度変化が低減される。
【００３２】
視度調整部９は、調整枠９１と、ガイド部９２とを有している。視度調整部９は、ファインダ光学系Ｓ２の視度を調整する。具体的には、視度調整部９は、ズーム枠６が回転する際の該ズーム枠６の光軸方向への移動を規定する。
【００３３】
調整枠９１は、光軸方向に延びる円筒状の部材である。調整枠９１は、本体枠５に対して回転可能な状態で本体枠５の外周面に装着される。つまり、本体枠５は、調整枠９１内に挿入される。調整枠９１には、カム溝９３が形成されている。カム溝９３は、周方向に対して傾斜する方向に延びている。また、調整枠９１には、ズーム枠６の第１連結ピン６１を外部に露出させる開口部９１ａが形成されている。カム溝９３及び開口部９１ａは、調整枠９１を半径方向へ貫通している。
【００３４】
調整枠９１のうち、光軸方向後側の端部には、図５に示すように、光軸方向に陥没する凹部９１ｂが形成されている。凹部９１ｂは、操作部１０の後述する視度リング１０４と係合している。
【００３５】
ガイド部９２は、ズーム枠６と係合し、回転するズーム枠６を案内する。図６（Ａ）に、ガイド部９２の斜視図を示し、図６（Ｂ）に、（Ａ）とは異なる角度から見た、ガイド部９２の斜視図を示す。図７は、ガイド部９２が見える状態のビューファインダ３の側面図であり、（Ａ）は、視度を遠視側に調整した状態であり、（Ｂ）は、視度を近視側に調整した状態である。ガイド部９２は、概ね周方向に沿って湾曲した板状の部材である。ガイド部９２のうち、周方向の一端部には、孔９４が形成されている。孔９４には、本体枠５に取り付けられる回転軸９５が挿通される。つまり、ガイド部９２は、回転軸９５回りに傾動可能な状態で本体枠５に取り付けられている。ガイド部９２は、第２開口部５３を概ね覆う状態で本体枠５に取り付けられている。
【００３６】
一方、ガイド部９２のうち、周方向の他端部には、係合片９６とフック９７とが設けられている。本体枠５には、係合片９６を摺動可能に保持するホルダ５４が取り付けられている。すなわち、係合片９６は、本体枠５とホルダ５４との間の隙間に摺動可能に収容されている。これにより、ガイド部９２が回転軸９５回りに傾動する際の、ガイド部９２の浮き上がりが防止される。フック９７には、コイルバネ９８の一端部が連結される。コイルバネ９８は、概ね光軸方向に延びる状態で配置され、その他端部が本体枠５（具体的には、ホルダ５４）に連結されている。コイルバネ９６は、自然長よりも伸びた状態となっている。つまり、コイルバネ９６は、ガイド部９２のうちフック９７が設けられた端部を光軸方向前側へ付勢している。
【００３７】
また、ガイド部９２のうち、本体枠５と対向する面（即ち、半径方向内側の面）には、突起９９が設けられている。突起９９は、調整枠９１のカム溝９３に係合している。つまり、調整枠９１が回転すると、突起９９は、カム溝９３の形状に応じて移動し、それに応じてガイド部９２が回転軸９５回りに傾動する。
【００３８】
ガイド部９２には、概ね周方向に延びるガイド溝９１０が形成されている。ガイド溝９１０は、ガイド部９２を半径方向に貫通している。ガイド溝９１０には、第２開口部５３を介して外方に突出する、ズーム枠６の第２連結ピン６２が係合している。つまり、ガイド溝９１０は、ズーム枠６が回転する際に第２連結ピン６２を案内する。
【００３９】
操作部１０は、図３，４に示すように、固定リング１０１と、ズームリング１０２と、中間リング１０３と、視度リング１０４とを有している。
【００４０】
固定リング１０１は、後側から本体枠５の外周面に装着されている。すなわち、本体枠５の後側の概ね半分の部分は、固定リング１０１内に挿入されている。固定リング１０１は、本体枠５の後端面に取り付けられている。ズームリング１０２、中間リング１０３及び視度リング１０４は、固定リング１０１の外周面に装着されている。視度リング１０４、中間リング１０３及びズームリング１０２は、光軸方向において後側からこの順で並んで配置されている。ズームリング１０２は、光軸Ａ２回りに回転可能となっている。中間リング１０３は、固定リング１０１に回転不能に取り付けられている。視度リング１０４は、光軸Ａ２回りに回転可能となっている。尚、図５，７においては、固定リング１０１及び中間リング１０３の図示が省略されている。
【００４１】
ズームリング１０２は、ファインダ光学系Ｓ２を介して観察される画像のズーム倍率を調整するために撮影者が操作する部分である。ズームリング１０２が回転すると、１群枠７及び２群枠８が光軸方向へ移動する。ズームリング１０２には、図５に示すように、光軸方向前側へ延びる係合部１２１が設けられている。係合部１２１には、光軸方向に延びる係合溝１２２が形成されている。係合溝１２２は、本体枠５の第１開口部５２及び調整枠９１の開口部９１ａを介して外部に露出している第１連結ピン６１に係合している。ズームリング１０２が回転させられると、係合溝１２２と第１連結ピン６１との係合を介して、ズーム枠６もズームリング１０２と一体的に回転する。
【００４２】
視度リング１０４は、ファインダ光学系Ｓ２の視度を調整するために撮影者が操作する部分である。視度リング１０４は、操作部の一例である。図８に、視度リング１０４を斜め前方から見た斜視図を示し、（Ａ）は全体図であり、（Ｂ）は回り止めピン１０５の拡大図である。視度リング１０４には、回り止めピン１０５が設けられている。視度リング１０４は、回り止めピン１０５を押圧操作されることによって回転可能となり、回り止めピン１０５が押圧操作されていないときには回転不能となっている。視度リング１０４には、前側へ突出する突起１４１が設けられている。突起１４１は、図５に示すように、調整枠９１の凹部９１ｂに係合している。つまり、視度リング１０４が回転させられると、突起１４１と凹部９１ｂとの係合を介して、調整枠９１も視度リング１０４と一体的に回転する。
【００４３】
視度リング１０４は、外環部１４２と、内環部１４３と、外環部１４２と内環部１４３とを連結する連結部１４４とを有している。外環部１４２及び内環部１４３は、光軸Ａ２を中心とする円筒状に形成されている。外環部１４２は、内環部１４３よりも半径が大きく、内環部１４３の外周に配置されている。内環部１４３は、固定リング１０１の外周面に摺接している。連結部１４４は、外環部１４２の光軸方向後側の端部と、内環部１４３の光軸方向後側の端部とを連結する。
【００４４】
視度リング１０４には、半径方向に延びる配設孔１４５が形成されている。配設孔１４５は、外環部１４２を貫通している。配設孔１４５は、内環部１４３及び連結部１４４にも形成されている。ただし、外環部１４２における配設孔１４５は、完全な円形であるのに対し、内環部１４３及び連結部１４４における配設孔１４５は、円弧状であり、内環部１４３及び連結部１４４を部分的に切り欠いた状態となっている。つまり、配設孔１４５内に配設される回り止めピン１０５は、内環部１４３及び連結部１４４において前側に露出している。また、配設孔１４５は、内環部１４３を貫通していない。
【００４５】
回り止めピン１０５は、頭部１５１と、頭部１５１よりも外径が小さい小径部１５２と、小径部１５２よりも外径が大きい中径部１５３と、中径部１５３よりも外径が大きい大径部１５４とを有している。頭部１５１、小径部１５２、中径部１５３及び大径部１５４は、円柱形状であり、同心円状に形成されている。頭部１５１、小径部１５２、中径部１５３及び大径部１５４は、この順で並んでいる。つまり、回り止めピン１０５は、段差状に形成されている。
【００４６】
回り止めピン１０５は、配設孔１４５内に配設されている。頭部１５１は、外環部１４２における配設孔１４５に嵌まっており、外環部１４２よりも半径方向外側へ突出している。小径部１５２、中径部１５３及び大径部１５４は、外環部１４２よりも半径方向内側に位置している。
【００４７】
回り止めピン１０５の大径部１５４と内環部１４３との間には、コイルバネ１５５が設けられている。コイルバネ１５５は、圧縮された状態で配設されており、回り止めピン１０５を半径方向外側へ付勢している。
【００４８】
図９に、斜め後方から見た中間リング１０３の斜視図を示す。図１０は、回り止めピン１０５が見えるように切断した視度リング１０４の断面図であり、（Ａ）は回り止めピン１０５が押圧されていない状態を、（Ｂ）は回り止めピン１０５が押圧された状態を示す。ここで、中間リング１０３には、光軸方向後側へ突出する突出片１３１が設けられている。突出片１３１は、周方向に延びている。また、突出片１３１は、光軸方向へは、図１０（Ａ）、（Ｂ）に示すように、視度リング１０４の外環部１４２の半径方向内側まで延びている。つまり、半径方向に見たときに、外環部１４２と突出片１３１とは部分的に重なっている。突出片１３１の光軸方向後側の端部には、複数の凹部１３２が周方向に並んで形成されている。凹部１３２は、中径部１５３の外径と略同一の（厳密には、僅かに大きい）内径を有する円弧状に形成されている。すなわち、凹部１３２の内径は、大径部１５４の外径よりも小さく、小径部１５２の外径よりも大きい。凹部１３２の円弧の中心は、配設孔１４５の軸心、即ち、回り止めピン１０５の軸心と略一致している。
【００４９】
通常時、即ち、視度リング１０４を操作しないときには、回り止めピン１０５は押圧されておらず、コイルバネ１５５の付勢力により半径方向外側へ押し上げられている。このとき、回り止めピン１０５の大径部１５４は、図１０（Ａ）に示すように、突出片１３１に対し半径方向内側から当接している。これにより、回り止めピン１０５の半径方向外側への移動が制止されている。つまり、大径部１５４は、回り止めピン１０５の配設孔１４５からの抜け止めとして機能している。
【００５０】
この状態において、頭部１５１は、外環部１４２から半径方向外側へ突出している。また、中径部１５３は、突出片１３１の凹部１３２に嵌まっている。中径部１５３が凹部１３２に係合することによって、回り止めピン１０５が中間リング１０３に対して光軸Ａ２回りに回転すること、即ち、視度リング１０４の中間リング１０３に対する光軸Ａ２回りの回転が制止されている。中間リング１０３は固定リング１０１に固定され、固定リング１０１は本体枠５に固定されているので、視度リング１０４は、本体枠５に対して回転不能となっている。
【００５１】
一方、視度リング１０４を操作するときには、回り止めピン１０５が半径方向内側へ押圧される。回り止めピン１０５が半径方向内側へ押圧されると、回り止めピン１０５は、コイルバネ１５５の付勢力に抗して半径方向内側へ移動する。すると、図１０（Ｂ）に示すように、中径部１５３と凹部１３２との係合が解除され、半径方向において凹部１３２の位置には小径部１５２が位置することになる。突出片１３１は、光軸方向において小径部１５２まで達していないので、小径部１５２と凹部１３２とは係合しない。そのため、視度リング１０４は、中間リング１０３に対して光軸Ａ２回りに回転することができる。つまり、撮影者は、回り止めピン１０５を半径方向内側に押圧した状態で視度リング１０４を回転させる。そして、視度リング１０４を適切な位置まで回転させた後に回り止めピン１０５の押圧を解除すると、中径部１５３が凹部１３２に再び係合し、視度リング１０４の回転が制止される。
【００５２】
〈３．ズーム動作〉
続いて、ズーム動作について説明する。
【００５３】
撮影者がズームリング１０２を回転させると、ズーム枠６がズームリング１０２と一体的に本体枠５に対して回転する。ズーム枠６の第２連結ピン６２がガイド部９２のガイド溝９１０に係合しているので、ズーム枠６は、回転する際にガイド溝９１０に案内される。ここで、ズーム枠６の内側に収容された１群枠７の１群連結ピン７１は、ズーム枠６の第１カム溝６３を貫通して、本体枠５の直線溝５１に係合している。同様に、ズーム枠６の内側に収容された２群枠８の２群連結ピン８１は、ズーム枠６の第２カム溝６４を貫通して、本体枠５の直線溝５１に係合している。このように、１群枠７及び２群枠８は、本体枠５の直線溝５１により回転が規制されている一方で、直線溝５１に沿って光軸方向に移動可能となっている。そのため、ズーム枠６が回転すると、１群枠７は第１カム溝６３の形状に応じて、２群枠８は第２カム溝６４の形状に応じて光軸方向へ移動する。
【００５４】
１群枠７（即ち、第１レンズ群Ｌ１）と表示部４１との距離及び２群枠８（即ち、第２レンズ群Ｌ２）と表示部４１との距離が変化すると、ファインダ光学系Ｓ２を介して観察される、表示部４１の画像のズーム倍率が変化する。詳しくは、第１レンズ群Ｌ１及び第２レンズ群Ｌ２の距離が変化すると、それらの合成焦点距離が変化する。両者の距離が長くなると、合成焦点距離が大きくなり、表示部４１の画像が小さく見える。両者の距離が短くなると、合成焦点距離が小さくなり、表示部４１の画像が大きく見える。
【００５５】
尚、ズーム枠６自体もガイド溝９１０に案内されて光軸方向へ移動し得るので、１群枠７の光軸方向への全移動量は、ガイド部９２により案内されたズーム枠６の光軸方向への移動量と、第１カム溝６３により案内された１群枠７の光軸方向への移動量との合計である。同様に、２群枠８の光軸方向への全移動量は、ガイド部９２により案内されたズーム枠６の光軸方向への移動量と、第２カム溝６４により案内された２群枠８の光軸方向への移動量との合計である。
【００５６】
〈４．視度調整〉
次に、視度調整について説明する。
【００５７】
ズーム枠６を回転させることによって１群枠７及び２群枠８を第１カム溝６３及び第２カム溝６４の形状に応じて光軸方向に移動させてズーム倍率を変更する構成においては、通常、ズーム枠６の回転に応じて１群枠７及び２群枠８がズーム倍率に対応する適切な位置に移動するように第１カム溝６３及び第２カム溝６４の形状が形成されている。このとき、ズーム倍率に対応する１群枠７及び２群枠８の位置は、ファインダ光学系Ｓ２の視度が所定の基準となる視度（以下、「基準視度」という）に維持されるように設定されている。つまり、第１カム溝６３及び第２カム溝６４は、ファインダ光学系Ｓ２の視度を基準視度に維持したままズーム倍率が変更されるように形成されている。
【００５８】
ビューファインダ３においては、ファインダ光学系Ｓ２の視度が調整されると共に、ズーム倍率が変化しても、調整後の視度が維持されるように構成されている。具体的には、ズーム枠６の光軸方向位置が調整されることによって視度が調整される。それに加えて、ズーム倍率が変更される際にズーム枠６自体が光軸方向へ移動し、このズーム枠６の光軸方向への移動態様が視度に応じて変更される。これにより、ズーム時の１群枠７及び２群枠８の移動態様が視度に応じて変更され、調整された視度を維持したままズーム倍率が変更される。
【００５９】
詳しくは、ビューファインダ３においては、視度リング１０４を回転させることによってファインダ光学系Ｓ２の視度が調整可能となっている。視度リング１０４が回転すると、調整枠９１が視度リング１０４と一体的に本体枠５に対して回転する。調整枠９１のカム溝９３には、ガイド部９２の突起９９が係合している。そのため、調整枠９１が回転すると、突起９９がカム溝９３内を相対移動し、それに応じて、ガイド部９２が回転軸９５を中心として傾動する。ガイド部９２が傾動すると、ガイド部９２のガイド溝９１０の、周方向に対する傾斜角が変化する。つまり、周方向に対するガイド溝９１０の傾斜角が視度に応じて変更される。以下、特段の断りがない限り、「傾斜角」は、周方向に対する傾斜角を意味する。
【００６０】
ガイド溝９１０にはズーム枠６の第２連結ピン６２が係合しているので、ズームを行うべくズーム枠６が回転するときに、第２連結ピン６２がガイド溝９１０内を移動する。つまり、ズーム枠６は、回転する際にガイド溝９１０の形状に応じて光軸方向へ移動する。周方向に対するガイド溝９１０の傾斜角が変更されると、回転時のズーム枠６の光軸方向への移動態様が変更される。例えば、周方向に対するガイド溝９１０の傾斜角が大きい場合には、ズーム枠６が回転する際の光軸方向への移動量が大きくなり、周方向に対するガイド溝９１０の傾斜角が小さい場合には、ズーム枠６が回転する際の光軸方向への移動量が小さくなる。尚、ガイド溝９１０が周方向に対して傾斜していないとき、即ち、ガイド溝９１０の延びる方向が周方向と一致しているときには、ズーム枠６は回転時に光軸方向へ移動しない。また、ガイド溝９１０が周方向に対してどちら側に傾くかによって、ズーム枠６が回転時に光軸方向のどちら側へ移動するかが変わる。ガイド溝９１０の傾斜は、視度に応じて調整される。
【００６１】
一方、ズーム枠６が回転すると、ズーム枠６内の１群枠７及び２群枠８はそれぞれ第１カム溝６３及び第２カム溝６４の形状に応じて光軸方向へ移動する。１群枠７及び２群枠８のズーム枠６に対する相対的な移動は、第１カム溝６３及び第２カム溝６４の形状に依存しているので、ガイド溝９１０の傾斜角が変更されても、１群枠７及び２群枠８のズーム枠６に対する相対的な移動態様は変化しない。
【００６２】
このように、ズーム枠６が回転すると、ズーム枠６自体がガイド溝９１０に案内されて光軸方向へ移動すると共に、１群枠７及び２群枠８が、ズーム枠６に対して相対的に光軸方向へ移動する。１群枠７及び２群枠８の光軸方向への全移動量は、ズーム枠６自体の光軸方向への移動量と、ズーム枠６に対する１群枠７及び２群枠８の光軸方向への移動量との合計となる。そして、ズーム枠６自体の光軸方向への移動量は、視度に応じて調整される。つまり、ズーム枠６自体の光軸方向への移動は、１群枠７及び２群枠８の光軸方向位置を視度に応じて（具体的には、視度を所望の値に維持するように）補正する役割を果たしている。
【００６３】
続いて、ズーム枠６自体の具体的な移動態様について説明する。図１１に、ズーム枠６の回転角に対する、ズーム枠６の光軸方向位置の関係を示す。視度は、前述の如く、視度リング１０４を回転させることによって調整される。視度リング１０４が回転すると、調整枠９１が回転し、調整枠９１の回転に応じてガイド部９２が傾動する。ガイド部９２が傾動することによって、ズーム枠６の光軸方向へ移動し、視度が調整される。それに加えて、ガイド部９２の傾動によりガイド溝９１０の傾斜角度が変化するので、ズーム時のガイド溝９１０に応じたズーム枠６の光軸方向への移動態様が変化する。これにより、ズーム時には、１群枠７及び２群枠８が調整後の視度を維持する態様で光軸方向へ移動するようになる。尚、ズーム倍率は、前述の如く、ズームリング１０２を回転させることによって調整される。
【００６４】
詳しくは、第１カム溝６３及び第２カム溝６４は、前述の如く、ファインダ光学系Ｓ２の視度が基準視度に維持される状態でズーム倍率が変更されるように設計されている。例えば、本実施形態のビューファインダ３の基準視度が−１ｄｐ（diopter）に設定されている。物点距離をＬ［ｍ］とするときに、視度は、−１／Ｌ［ｄｐ］で表される。
【００６５】
ファインダ光学系Ｓ２の視度を−１ｄｐとするときは、ズーム枠６自体を光軸方向へ移動させる必要はなく、１群枠７及び２群枠８をズーム枠６に対して相対的に移動させることだけで、視度を−１ｄｐに維持した状態でズーム倍率を変更することができる。そのため、ファインダ光学系Ｓ２の視度が−１ｄｐのときは、ガイド溝９１０の延びる方向が周方向と実質的に一致する（即ち、ガイド溝９１０の傾斜角が実質的に０°になる）ように、ガイド部９２の位置（即ち、姿勢）が調整される。ガイド溝９１０が周方向に延びているので、ズーム枠６は、回転する際にガイド溝９１０によって周方向のみに案内され、光軸方向への移動が規制される。つまり、図１１に示すように、ファインダ光学系Ｓ２の視度が−１ｄｐのときは、ズーム動作のためにズーム枠６が回転してもズーム枠６の光軸方向位置は変わらない。ズーム枠６自体の光軸方向への移動による１群枠７及び２群枠８の光軸方向への移動（即ち、ズーム枠６自体の光軸方向への移動による、１群枠７及び２群枠８の光軸方向位置の補正量）は零となるので、１群枠７及び２群枠８の光軸方向への移動は、ズーム枠６に対する相対的な移動のみとなる。
【００６６】
視度を基準視度から変更する場合、ガイド部９２の位置を変更する。具体的には、ガイド部９２を傾動させて、ガイド溝９１０を周方向に対して傾斜させる。ガイド部９２が傾動することによって、ズーム枠６の光軸方向位置が変更される。さらに、ガイド溝９１０が傾斜することによって、ズーム枠６が回転する際にズーム枠６自体が光軸方向へ移動するようになる。
【００６７】
具体的には、視度をマイナス側、即ち、近視側に変更する場合（例えば、−２ｄｐに変更する場合）、ガイド部９２を図７（Ｂ）に示すように前側へ傾動させる。すなわち、ガイド部９２のうち回転軸９５と反対側の端部が前側へ移動するようにガイド部９２を傾動させる。ズーム枠６は、ガイド部９２に係合しているので、ガイド部９２の前側への傾動に伴って基準視度のときよりも前側へ移動する。例えば、ズーム倍率が最低倍率の状態で視度を調整する場合、ズーム枠６は、図１１の矢印Ａで示すように前側へ移動する。このズーム枠６の光軸方向への移動により、１群枠７及び２群枠８の光軸方向位置が補正され、視度が−１ｄｐから−２ｄｐへ変更される。尚、ズーム枠６の光軸方向への移動量、即ち、ガイド部９２の傾動量を調整することによって、視度が所望の値に調整される。
【００６８】
ここで、１群枠７及び２群枠８の光軸方向位置の補正量は、ズーム倍率に応じて異なる。すなわち、視度を−２ｄｐに維持するためのズーム枠６の光軸方向位置はズーム倍率に応じて異なる。例えば、図１１の破線で示すように、最低倍率の状態でズーム枠６の光軸方向位置を変更して視度を−２ｄｐに調整した後に、ズーム枠６の光軸方向位置を変更せずにズーム動作を行うと、最低倍率以外のズーム倍率のときには視度が−２ｄｐからずれてしまう。
【００６９】
それに対し、ビューファインダ３では、ガイド部９２の傾動により、ガイド溝９１０が周方向に対して傾く。そのため、図１１の矢印Ｂで示すように、ズーム倍率を変更すべくズーム枠６が回転すると、ズーム枠６はガイド溝９１０に案内されて光軸方向へも移動する。つまり、１群枠７及び２群枠８の光軸方向位置の補正量がズーム枠６の回転に伴って、即ち、ズーム倍率の変更に伴って変更される。具体的には、ガイド溝９１０は、ズーム倍率が高くなる方向へズーム枠６が回転するに従って、ズーム枠６が後側へ移動するように傾斜する。その結果、低倍率の方が補正量は大きく、高倍率の方が補正量は小さくなる。
【００７０】
より詳しくは、ガイド溝９１０は、ガイド部９２を平らにした場合に直線となるように形成されているので、ガイド溝９１０が周方向に対して傾斜している状態において、ズーム枠６の光軸方向への移動量はズーム枠６の回転角に対して線形的に変化する。具体的には、図１１に示すように、ズーム枠６が低倍率側から高倍率側へ回転すると、ズーム枠６は、その回転角に比例して、光軸方向において後側へ移動する。このズーム枠６の光軸方向への移動によって、ズーム動作中も視度が−２ｄｐに維持される。すなわち、ズーム枠６の回転角に対してズーム枠６を光軸方向へ線形的に移動させることによってズーム倍率変更時の視度が維持されるように、第１カム溝６３及び第２カム溝６４が形成されている。
【００７１】
また、視度を一定に維持するための１群枠７及び２群枠８の光軸方向位置の補正量（即ち、ズーム枠６の光軸方向への移動量）は、前述の如く、視度に応じて異なる。そのため、ズーム倍率に応じたズーム枠６の光軸方向位置の変化態様も、視度に応じて異なる。
【００７２】
ここで、ビューファインダ３においては、ズーム枠６の回転角に応じてズーム倍率が変わるときに視度を維持するために必要なズーム枠６の光軸方向への移動量が該回転角に対して比例関係となるように、第１カム溝６３及び第２カム溝６４の形状が設定されている。このような構成においては、ファインダ光学系Ｓ２の視度が変わっても、ズーム枠６の回転角に対するズーム枠６の光軸方向への移動量の変化率を視度に応じて変更すれば、ズーム動作中の視度を維持することができる。つまり、視度の調整に応じてガイド溝９１０の傾きを変更すれば、任意の視度に関し、ズーム動作中の視度を維持することができる。
【００７３】
具体的には、視度を−３ｄｐに調整するときには、ガイド部９２は視度が−２ｄｐのときよりも前側へ傾動させられる。これにより、ズーム枠６の光軸方向位置は、視度が−２ｄｐのときよりもさらに前側へ変更される。それに加えて、ガイド溝９１０の傾斜角の絶対値は、視度が−２ｄｐのときよりも大きくなる。すなわち、ズーム枠６の回転角に対するズーム枠６の光軸方向への移動量の変化率の絶対値は、視度が−２ｄｐのときよりも大きくなる。その結果、ズーム動作中も視度が−３ｄｐに維持されるようになる。
【００７４】
一方、視度をプラス側、即ち、遠視側に変更する場合（例えば、０ｄｐに変更する場合）、ガイド部９２を図７（Ａ）に示すように後側へ傾動させる。すなわち、ガイド部９２のうち回転軸９５と反対側の端部が後側へ移動するようにガイド部９２を傾動させる。ズーム枠６は、ガイド部９２に係合しているので、ガイド部９２の後側への傾動に伴って基準視度のときよりも後側へ移動する。これにより、視度が−１ｄｐから０ｄｐへ変更される。
【００７５】
それに加え、ガイド部９２の傾動により、ガイド溝９１０が周方向に対して傾く。具体的には、ズーム倍率が高くなる方向へズーム枠６が回転するに従って、ズーム枠６が前側へ移動するようにガイド溝９１０が傾斜する。その結果、図１１に示すように、ズーム枠６が低倍率側から高倍率側へ回転すると、ズーム枠６は、その回転角に比例して、光軸方向において前側へ移動する。このズーム枠６の光軸方向への移動によって、ズーム動作中も視度が０ｄｐに維持される。
【００７６】
視度をさら遠視側へ変更する（例えば、＋１ｄｐに調整する）場合には、ガイド部９２は、視度が０ｄｐのときよりも後側へ傾動させられる。これにより、ズーム枠６は、視度が０ｄｐのときよりもさらに後側へ移動する。それに加えて、ガイド溝９１０の傾斜角の絶対値は、視度が０ｄｐのときよりも大きくなる。すなわち、ズーム枠６の回転角に対するズーム枠６の光軸方向への移動量の変化率の絶対値は、視度が０ｄｐのときよりも大きくなる。これにより、ズーム動作中も視度が＋１ｄｐに維持されるようになる。
【００７７】
このように、基準視度よりも近視側の視度の場合には、ズーム枠６は、光軸方向において基準視度のときよりも前側に位置している。そして、基準視度のときのズーム枠６の光軸方向位置から前側へ離れる量は、ズーム倍率が低くなるほど、及び、視度が小さくなるほど大きくなっている。一方、基準視度よりも遠視側の視度の場合には、ズーム枠６は、光軸方向において基準視度のときよりも後側に位置している。そして、基準視度のときのズーム枠６の光軸方向位置から後側へ離れる量は、ズーム倍率が低くなるほど、及び、視度が大きくなるほど、大きくなっている。
【００７８】
尚、図１１では、視度を−３ｄｐ、−２ｄｐ、−１ｄｐ、０ｄｐ、＋１ｄｐに調整する場合を図示しているが、これらの視度の間の値にも視度を調節することができる。例えば、視度を−０．７ｄｐに調整することもできる。
【００７９】
〈５．まとめ〉
以上のように、ビューファインダ３は、光軸Ａ２上に配置された第１レンズ群Ｌ１及び第２レンズ群Ｌ２を含み、該第１レンズ群Ｌ１及び第２レンズ群Ｌ２の光軸方向位置が変更されることによってズーム倍率が変更されるファインダ光学系Ｓ２と、第１レンズ群Ｌ１及び第２レンズ群Ｌ２を案内する第１カム溝６３及び第２カム溝６４が形成され、光軸Ａ２回りに回転することによって該第１レンズ群Ｌ１及び第２レンズ群Ｌ２を該第１カム溝６３及び第２カム溝６４の形状に応じて光軸方向に移動させるズーム枠６と、ファインダ光学系Ｓ２の視度を調整する視度調整部９とを備え、視度調整部９は、ズーム枠６の光軸方向への位置を変更することによってファインダ光学系Ｓ２の視度を調整すると共に、該ズーム枠６が回転する際に該ズーム枠６の光軸方向位置を視度が維持されるように調整する。
【００８０】
この構成によれば、ズーム枠６が回転することによって第１レンズ群Ｌ１及び第２レンズ群Ｌ２が第１カム溝６３及び第２カム溝６４の形状に応じて光軸方向に移動し、ファインダ光学系Ｓ２のズーム倍率が変更される。そして、ズーム枠６の光軸方向位置が変更されることによって、ファインダ光学系Ｓ２の視度が調整される。
【００８１】
ここで、ズーム枠６を光軸方向へ移動させて視度を調整したとしても、ズーム倍率を変更するために第１レンズ群Ｌ１及び第２レンズ群Ｌ２が第１カム溝６３及び第２カム溝６４の形状に応じて光軸方向へ移動すると、ファインダ光学系Ｓ２の視度は、調整した視度からずれてしまう。
【００８２】
それに対し、前記の構成によれば、第１カム溝６３及び第２カム溝６４のみによる第１レンズ群Ｌ１及び第２レンズ群Ｌ２の移動ではずれてしまう視度を、ズーム枠６自体の光軸方向への移動によって補正している。詳しくは、ズーム枠６が回転する際、即ち、ズーム倍率が変更される際に、視度が維持されるようにズーム枠６の光軸方向位置が調整される。これにより、ファインダ光学系の視度を調節可能であるにもかかわらず、ズーム倍率を変更する際の視度の変化が低減され、調整後の視度を維持することができる。尚、「視度が維持される」とは、第１レンズ群Ｌ１及び第２レンズ群Ｌ２を第１カム溝６３及び第２カム溝６４のみによって光軸方向へ移動させる場合と比べて、視度の変化が低減されることを意味し、視度が全く変化してはいけないというものではない。
【００８３】
また、第１レンズ群Ｌ１及び第２レンズ群Ｌ２の光軸方向位置を規定するズーム枠６自体の光軸方向位置を調整することによって視度の調整及び調整後の視度の維持を実現できるので、視度調整のためだけのレンズや該レンズの位置を調整する機構を別途設ける必要がない。その結果、ビューファインダの構成を簡易にすることができる。
【００８４】
また、視度調整部９は、ズーム枠６が回転する際の該ズーム枠６の光軸方向位置の調整量を視度に応じて変更する。
【００８５】
この構成によれば、様々な視度について、ズーム倍率変更時の視度が維持される。つまり、ズーム倍率が同じであっても、視度が異なれば、第１レンズ群Ｌ１及び第２レンズ群Ｌ２の適切な位置は異なる。そのため、ズーム倍率が変更される際に視度を維持するために必要なズーム枠６の光軸方向への移動量は視度に応じて異なる。そこで、視度調整部９は、ズーム枠６が回転する際のズーム枠６の光軸方向位置の調整量を視度に応じて変更している。これにより、様々な視度について、ズーム倍率変更時に視度を維持することができる。
【００８６】
また、視度調整部９は、回転するズーム枠６を案内し、該ズーム枠６が回転する際の該ズーム枠６の光軸方向位置を規定するガイド溝９１０を有している。
【００８７】
この構成によれば、ズーム枠６が回転すると、第１レンズ群Ｌ１及び第２レンズ群Ｌ２の光軸方向位置が変化するだけでなく、ズーム枠６自体の光軸方向位置も変化する。つまり、本来的には第１レンズ群Ｌ１及び第２レンズ群Ｌ２の光軸方向位置を変更するためのズーム枠６の回転を利用して、ズーム枠６自体を光軸方向へ移動させる。その結果、視度変化を低減するためだけの操作を必要とせず、ズーム倍率を変更する操作を行うことによって、同時にズーム枠６自体を光軸方向へ移動させて視度変化を低減させることができる。
【００８８】
また、視度調整部９は、光軸Ａ２回りの周方向に対するガイド溝９１０の傾きを視度に応じて変更することによって、ズーム枠６が回転する際の該ズーム枠６の光軸方向位置を視度が維持されるように調整する。
【００８９】
様々な視度に対して、視度を維持しつつズーム倍率を変更するためには、ズーム枠６が回転する際のズーム枠６自体の光軸方向への移動態様を視度に応じて変更する必要がある。ズーム枠６が回転する際のズーム枠６自体の光軸方向への移動態様は、ガイド溝９１０に依存している。前記の構成によれば、ガイド溝９１０の傾きを変更することによって、ズーム枠６自体の光軸方向への移動態様を変更する。ガイド溝９１０の傾きが変われば、ズーム枠６の回転量に対するズーム枠６の光軸方向への移動量が変わる。そのため、ガイド溝９１０の傾きを調整することによって、ズーム倍率が変更される際に視度を維持することができる。
【００９０】
また、視度調整部９は、ガイド溝９１０が形成されたガイド部９２を有し、ガイド部９２を傾動させることによって光軸Ａ２回りの周方向に対するガイド溝９１０の傾きを変更するように構成されている。
【００９１】
前記の構成によれば、ガイド溝９１０の傾きの変更は、ガイド部９２の傾動により実現される。例えば、ガイド溝９１０が形成された部材を、傾きの異なるガイド溝９１０が形成された別の部材に置き替えることによっても、ガイド溝９１０の傾きを変更することができる。しかし、そのような構成の場合、視度調整の作業が煩雑になる。それに対して、前記の構成によれば、ガイド部９２を傾動させるという簡単な操作によってガイド溝９１０の傾きを変更することができる。
【００９２】
また、ガイド溝９１０は、ズーム枠６の回転角に対する該ズーム枠６の光軸方向への移動量が線形的に変化するように形成されている。
【００９３】
前記の構成によれば、ズーム枠６の回転角に応じてズーム倍率が変わるときに視度を維持するために必要なズーム枠６の光軸方向への移動量が該回転角に対して比例関係となるように、第１カム溝６３及び第２カム溝６４の形状が設定されている。このような構成の場合、ズーム枠６の回転角に対するズーム枠６の光軸方向への移動量の変化率を視度に応じて変更する、即ち、ガイド溝９１０の傾きを視度に応じて変更することによって、ズーム動作中の視度を維持することができる。つまり、ガイド溝９１０の傾きを調整するという簡単な操作によって、任意の視度について、ズーム動作中に視度を維持することができる。
【００９４】
また、視度調整部９は、光軸Ａ２回りに回転するように構成された調整枠９１を有し、ガイド部９２は、調整枠９１の回転に応じて傾動するように該調整枠９１に連結されている。
【００９５】
前記の構成によれば、調整枠９１を回転させることによって、ガイド部９２を傾動させることができる。
【００９６】
また、視度調整部９は、調整枠９１に連結され、撮影者が操作する視度リング１０４を有し、調整枠９１は、視度リング１０４によって回転させられる。
【００９７】
前記の構成によれば、撮影者が視度リング１０４を操作することによって、調整枠９１が回転させられ、それによりガイド部９２が傾動させられる。
【００９８】
さらに、ビューファインダ３は、画像を表示する表示部４１と、光軸Ａ２上に配置され、負の屈折力を有する第３レンズ群Ｌ３とをさらに備え、第３レンズ群Ｌ３は、第１レンズ群Ｌ１、第２レンズ群Ｌ２及び第３レンズ群Ｌ３のうちで最も表示部４１の近くに配置されている。
【００９９】
この構成によれば、第３レンズ群Ｌ３を設けることによって、表示部４１への入射角を小さくすることができる。これにより、表示部４１の視野角依存性が大きくても、色ずれや輝度変化を低減することができ、表示部４１の視認性を向上させることができる。
【０１００】
ビデオカメラ１００は、ビューファインダ３と、ビューファインダ３が取り付けられるカメラ本体１とを備えている。
【０１０１】
前記の構成によれば、視度を調整した後にズーム倍率を変更しても、視度変化を低減することができる。その結果、操作性が高いビューファインダ３を備えたビデオカメラ１００を提供することができる。
【０１０２】
ビューファインダ３は、調整枠９１を回転させるための視度リング１０４（操作部）をさらに備え、視度リング１０４には、視度リング１０４の光軸Ａ２回りの回転を規制する回り止めピン１０５（回り止め部）が設けられており、回り止めピン１０５は、視度リング１０４の光軸Ａ２回りの回転を規制する規制状態と、視度リング１０４の光軸Ａ２回りの回転を可能とする解除状態とに切り替え可能に構成されている。
【０１０３】
この構成によれば、視度リング１０４が誤って操作されることを防止することができる。つまり、回り止めピン１０５によって視度リング１０４の回転を規制しておくことによって、撮影者が視度リング１０４に触れた場合であっても視度が変更されることを防止することができる。特に、ビューファインダ３のように、視度リング１０４がズームリング１０２の近くに配置されている構成においては、ズームリング１０２を操作する際に視度リング１０４に触れてしまう可能性がある。このような構成であっても、回り止めピン１０５により視度リング１０４の回転を規制しておくことによって、視度が誤って変更されてしまうことを防止することができる。
【０１０４】
また、ビューファインダ３は、視度リング１０４が回転可能に取り付けられる固定リング１０１をさらに備え、固定リング１０１には、回り止めピン１０５と係合する突出片１３１（係合部）が設けられ、回り止めピン１０５は、コイルバネ１５５（付勢部）により光軸Ａ２を中心とする半径方向外側に付勢されており、規制状態においては、回り止めピン１０５は、コイルバネ１５５により半径方向外側に付勢されて突出片１３１と係合することによって視度リング１０４の回転を規制しており、解除状態においては、回り止めピン１０５は、コイルバネ１５５の付勢力に抗して半径方向内側へ移動することによって突出片１３１との係合が解除されることによって視度リング１０４の回転を許容している。
【０１０５】
この構成によれば、回り止めピン１０５の押圧操作及びその解除という簡単な操作によって、視度リング１０４の規制状態と解除状態とを切り替えることができる。
【０１０６】
《その他の実施形態》
以上のように、本出願において開示する技術の例示として、前記実施形態を説明した。しかしながら、本開示における技術は、これに限定されず、適宜、変更、置き換え、付加、省略などを行った実施の形態にも適用可能である。また、上記実施形態で説明した各構成要素を組み合わせて、新たな実施の形態とすることも可能である。また、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１０７】
前記実施形態について、以下のような構成としてもよい。
【０１０８】
ビデオカメラ１００は、撮像装置の一例であり、撮像装置は、ビデオカメラ１００に限られるものではない。例えば、カメラ本体１やレンズ鏡筒２の構成は、前記の説明に限られるものではない。
【０１０９】
ビューファインダ３の構成も一例に過ぎない。レンズや枠体の構成は、前記の構成に限られるものではない。例えば、第１レンズ群Ｌ１及び第２レンズ群Ｌ２は、複数のレンズではなく、１枚のレンズで構成されていてもよい。第１レンズ群Ｌ１及び第２レンズ群Ｌ２は、負の屈折力を有するものであってもよい。第３レンズ群Ｌ３は、１枚のレンズではなく、複数のレンズで構成されていてもよい。第３レンズ群Ｌ３は、正の屈折力を有するものであってもよい。さらに、ビューファインダ３は、第１〜第３レンズ群Ｌ１〜Ｌ３以外のレンズ群を含んでいてもよい。また、ビューファインダ３は、第３レンズ群Ｌ３を省略してもよい。
【０１１０】
また、ビューファインダ３では、ズーム枠６の光軸方向への移動を規定するガイド部９２を、視度リング１０４及び調整枠９１を介して傾動させているが、これに限られるものではない。視度リング１０４及び調整枠９１を介さずに、ガイド部９２を直接、傾動させる構成であってもよい。
【０１１１】
さらに、ビューファインダ３では、ズーム枠６が回転する際のズーム枠６の光軸方向への移動態様を変更するために、ガイド部９２、即ち、ガイド溝９１０を傾動させているが、ズーム枠６の光軸方向への移動態様を変更する手法はこれに限られるものではない。例えば、視度に応じて、ガイド部９２をガイド溝９１０の形状が異なる別のガイド部９２に取り替える構成であってもよい。視度は撮影者に固有であり、ビデオカメラ１００の撮影者があまり変わらない場合等には視度を頻繁に調整する必要がないので、ガイド部９２を取り替える構成であってもよい。
【０１１２】
また、ガイド溝９１０は、ズーム枠６の回転角に対してズーム枠６の光軸方向への移動量が線形的に変化するように形成されているが、これに限られるものではない。ズーム動作中にズーム枠６の光軸方向位置を調整しない構成に比べて、ズーム動作中の視度の変化を低減できる限りは、ガイド溝９１０を任意の形状とすることができる。
【０１１３】
また、ガイド部９２を回転軸９５を中心に傾動させることによってガイド溝９１０の、周方向に対する傾斜角を調整しているが、これに限られるものではない。ズーム枠６が回転する際のズーム枠６の光軸方向への移動態様を変更できる限りは、ガイド部９２をどのように移動させてもよい。
【０１１４】
尚、図１１では、視度を−３ｄｐ、−２ｄｐ、−１ｄｐ、０ｄｐ、＋１ｄｐに調整する場合について説明したが、視度をもっと細かく調整してもよい。前記の構成では、視度リング１０４の回り止めピン１０５が突出片１３１の凹部１３２に係合する状態で視度リング１０４の位置が固定されるため、視度調整の最小分解能は、凹部１３２のピッチに対応する。そのため、視度を略連続的に調整できるものの、厳密には視度を離散的にしか調整できない。そこで、例えば、回り止めピン１０５及び突出片１３１を省略して視度リング１０４に回り止め機構を設けない構成や、回り止めピン１０５と突出片１３１との係合以外の方法で視度リング１０４の回り止めを実現する構成においては、視度リング１０４の位置を連続的に変化させることができ、視度を連続的に調整することができる。また、基準視度は、−１ｄｐに限られるものではなく、０ｄｐ等の別の値であってもよい。
【０１１５】
あるいは、ビューファインダ３は、視度を基準視度と、基準視度よりも近視側の視度と、基準視度よりも遠視側の視度との３種類の視度にのみ調整できるように構成してもよい。例えば、ガイド部９２の位置（傾動角）を３段階のみに調整できるように構成してもよい。かかる構成においては、ガイド部９２を、視度リング１０４及び調整枠９１等を介して連続的に傾動可能に構成する必要はなく、視度調整部９の構成を簡易にすることができる。尚、調整できる視度は、３段階に限られるものではなく、２段階や４段階以上の視度に調整可能であってもよい。何れにしても、視度を略連続的に調整可能なビューファインダ３よりも構成を簡易にすることができる。
【産業上の利用可能性】
【０１１６】
以上説明したように、ここに開示された技術は、ビューファインダ及びそれを備えた撮像装置について有用である。
【符号の説明】
【０１１７】
１００  ビデオカメラ（撮像装置）
１      カメラ本体
２      レンズ鏡筒
３      ビューファインダ
４      ベース
４１    表示部
５      本体枠
６      ズーム枠（枠体）
６３    第１カム溝（カム溝）
６４    第２カム溝（カム溝）
７      １群枠
８      ２群枠
９      視度調整部
９１    調整枠
９２    ガイド部
９１０  ガイド溝
１０    操作部
１０１  固定リング
１０２  ズームリング
１０３  中間リング
１０４  視度リング（操作部）
１０５  回り止めピン
Ａ１    光軸
Ａ２    光軸
Ｌ１    第１レンズ群（第１レンズ）
Ｌ２    第２レンズ群（第２レンズ）
Ｌ３    第３レンズ群（第３レンズ）
Ｓ１    撮像光学系
Ｓ２    ファインダ光学系
【図１】
2015195547.tif 000003
【図２】
2015195547.tif 000004
【図３】
2015195547.tif 000005
【図４】
2015195547.tif 000006
【図５】
2015195547.tif 000007
【図６】
2015195547.tif 000008
【図７】
2015195547.tif 000009
【図８】
2015195547.tif 000010
【図９】
2015195547.tif 000011
【図１０】
2015195547.tif 000012
【図１１】
2015195547.tif 000013